【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
冷凍製品を保持する空隙を画成する容器壁部を有する容器（７０３）に格納された前記製品を乾燥する方法であって、昇華により乾燥する方法であるか、または脱離により乾燥する方法であり、
ａ）少なくとも１つの熱ＩＲカメラを使用して、前記容器壁部の少なくとも１部分の熱ＩＲ画像を捕捉するステップ（１４０１）と、
ｂ）画像処理モジュール（７０２）を使用して、前記容器壁部の外側表面上に配置された複数の地点に関連付けられた複数の温度値を決定することにより前記熱ＩＲ画像を処理するステップ（１４０２）と、
ｃ）熱フローのモデル化および前記乾燥処理の進行のモデル化を実行する数理モデルを使用して、前記容器内の前記製品の最高温度（Ｔｐｒｏｄ＿ｍａｘ）を計算するステップ（１４０３）と、
ｄ）前記計算された最高製品温度（Ｔｐｒｏｄ＿ｍａｘ）と温度安全マージン（Ｔｓｍ）に基づいて、前記容器の少なくとも一部分に供給されるパワーの量を制御するステップと、
ｅ）少なくとも１度前記ステップａ）〜前記ステップｄ）を反復するステップと
を含む、方法。
【請求項２】
ステップｄ）に先行して、前記計算された進行に基づいて、前記製品の前記温度（Ｔｐｒｏｄ）と事前定義された臨界温度（Ｔｃｒｉｔ）との間の温度差として前記温度安全マージン（Ｔｓｍ）を決定する（１４０４）ステップｆ）
をさらに含む、請求項１に記載の方法。
【請求項３】
ステップｆ）は、
−前記製品の事前決定された内容物、
−ステップｂ）で計算された前記温度値の少なくとも部分集合、
−前記容器に提供されたかまたは前記容器により吸収された熱エネルギーの推定または計算された累計量
のうちの少なくとも１つを考慮に入れることにより前記数理モデルを使用して前記温度安全マージン（Ｔｓｍ）を計算することを含む、請求項２に記載の方法。
【請求項４】
前記容器は、長手方向軸を有し、前記長手方向軸を中心に回転され、前記長手方向軸に対して垂直な平面において実質的に円形の断面を有し、
前記数理モデルは、前記容器壁部の外側から、前記容器壁部を通り、依然として氷結晶を含む前記製品の部分（Ｚ１）を通る、熱伝達に主に基づく、
請求項１〜請求項３のうちのいずれか１項に記載の方法。
【請求項５】
前記乾燥する方法は昇華の方法であり、前記数理モデルは以下のモデル：
Ａ）ａ）前記容器物質により形成された外側円筒（１０５）、
ｂ）前記外側円筒（１０５）に物理的に接触し、かつ、依然として氷結晶を含む冷凍製品を含む、中間円筒（１０１）、及び
ｃ）氷結晶を実質的に含まない冷凍製品を含む内側リング（１０３）
を含む３つの同心円筒形状を含む本体に熱エネルギーを供給するモデル、
または、
Ｂ）複数（Ｎ）の少なくとも２つのディスク（１７６、１７７）を含む本体であって、各ディスクが、
ａ）前記容器物質により形成された外側リング（１７５）、
ｂ）前記外側リング（１７５）に物理的に接触し、かつ、依然として氷結晶を含む冷凍製品を含む、中間リング（１７１）、及び
ｃ）氷結晶を実質的に含まない冷凍製品を含む内側リング（１７３）
を含む３つの同心環状リング（１７５、１７１、１７３）を含む本体に、熱エネルギーを供給することに基づくモデル
のうちの１つに基づく、請求項１〜請求項４のうちのいずれか１項に記載の方法。
【請求項６】
前記乾燥の方法は脱離の方法である、
前記数理モデルは以下のモデル：
Ａ）ａ）前記容器物質により形成された外側円筒（１０５）、
ｂ）前記外側円筒に物理的に接触し、かつ、氷結晶も水分量も実質的に含まない製品を含む、中間円筒（１０１）、及び
ｃ）氷結晶は実質的に含まないが依然として水分量を含む製品を含む内側円筒（１０３）
を含む３つの同心円筒形状を含む本体に熱エネルギーを供給するモデル、
または、
Ｂ）複数（Ｎ）の少なくとも２つのディスク（１７６、１７７）を含む本体であって、各ディスクが、
ａ）前記容器物質により形成された外側リング（１７５）、
ｂ）前記外側リング（１７５）に物理的に接触し、かつ、氷結晶も水分含量も実質的に含まない製品を含む、中間リング（１７１）、及び
ｃ）氷結晶は実質的に含まないが依然として水分含量を含む製品を含む内側リング（１７３）
を含む３つの同心環状リングを含む本体に、熱エネルギーを供給するモデル
のうちの１つに基づく、
請求項１〜請求項４のうちのいずれか１項に記載の方法。
【請求項７】
前記容器は、前記容器の高さの少なくとも１部分にわたり、円筒形状、または円錐形状、または切頭状円錐形状、または放物面形状、または切頭状放物面形状（２２１）を有する側壁部分を有する、
請求項１〜請求項６のうちのいずれか１項に記載の方法。
【請求項８】
ステップｄ）は以下の動作：
ｉ）少なくとも１つの加熱器（７０５）に供給されるパワーの量を制御すること、
ｉｉ）前記少なくとも１つの加熱器（７０５）と前記円筒形状を有する側壁部分を有する容器（７０３）との間の距離（ｄｈ）を制御すること、
ｉｉｉ）前記少なくとも１つの加熱器と前記容器との間の方向を制御すること、
ｉｖ）前記少なくとも1つの加熱器の前方に位置する前記少なくとも１つの容器の曝露時間を制御すること、
ｖ）前記容器の前記並進および／または回転運動を制御すること
のうちの１つまたは複数を含む、請求項７に記載の方法。
【請求項９】
ステップｄ）は、第１加熱器（１８０３）に提供されるパワーの少なくとも第１量を制御することにより、および、前記容器に対して異なる位置に配置された第２加熱器（１８０４）に提供されるパワーの少なくとも第２量を制御することにより、前記容器に供給されるパワーの量を制御することを含む、
請求項１〜請求項８のうちのいずれか１項に記載の方法。
【請求項１０】
前記少なくとも１つの加熱器（７０５）は前記容器（７０３）に対して可動である、請求項８に記載の方法。
【請求項１１】
ステップｄ）は、前記中間円筒（１０１）にまたは前記中間リング（１７１）に配置された前記製品の少なくとも１つの地点の少なくとも１つの温度（Ｔｐｒｏｄ）を、前記数理モデルを使用して推定または計算することを含み、
前記少なくとも１つの加熱器（７０３）を制御することは、前記製品温度（Ｔｐｒｏｄ）が臨界温度（Ｔｃｒｉｔ）から前記安全マージン（Ｔｓｍ）を引いた値以下となるよう、前記加熱器を制御することを含む、
請求項８に記載の方法。
【請求項１２】
ｇ）容器を提供することと、
ｈ）前記容器に前記液体製品を挿入することと、
ｋ）事前定義された速さで前記容器をその長手方向軸を中心に回転させている間に前記容器中の前記製品を冷凍することと、
−請求項１〜請求項１１のうちのいずれか１項に記載の方法を使用して、前記製品から氷結晶を除去するための第１乾燥ステップを適用すること、または、請求項１〜請求項１１のうちのいずれか１項に記載の方法を使用して、前記製品から水分含量を除去するための第２乾燥ステップを適用することと
を含む、液体製品をフリーズドライする方法。
【請求項１３】
ステップｇ）は、実質的に一定の厚さを有し、かつ、前記容器の高さの少なくとも１／４にわたり実質的に放物面形状または切頭状放物面形状を有する、側壁部分（２２１）を含む容器を提供することを含み、
ステップｋ）は、前記製品が前記側面壁部に対して実質的に一定の厚さの層を形成するよう、前記放物線形状の曲率に対応する選択された事前定義された速さで前記容器をその長手方向軸を中心に回転させている間に前記容器中の前記製品を冷凍することを含む、
請求項１２に記載の液体製品をフリーズドライする方法。
【請求項１４】
冷凍製品を保持するキャビティを画成する容器壁部を有する容器（７０２）に格納された前記製品を乾燥するフリーズドライ装置（７００）であって、昇華により、および／または脱離により、前記製品を乾燥させるよう適応され、
ａ）前記容器壁部の少なくとも１部分の熱ＩＲ画像を捕捉するための熱ＩＲカメラ（７０１）と、
ｂ）前記容器壁部の外側表面上に配置された複数の地点に関連付けられた複数の温度値を計算することにより前記熱ＩＲ画像を処理するよう適応された画像処理モジュール（７０２）と、
ｃ）前記容器壁部の前記外側表面の少なくとも１部分を加熱するよう配置された少なくとも１つの加熱器（７０３、Ｈ１、Ｈ）と、
−以下の構成要素：前記少なくとも１つの加熱器（Ｈ１）にパワーを供給するための手段、前記少なくとも１つの加熱器（Ｈ１）を移動させるための手段（７１５）、前記容器（７０３）を移動させるための手段（７０４）のうちの少なくとも１つの構成要素と、
ｄ）繰り返し、
＊熱フローのモデル化および前記乾燥処理の進行のモデル化を実行する数理モデルを使用して前記容器中の前記製品の温度（Ｔｐｒｏｄ）を計算すること、
＊熱フローおよび前記容器中の前記製品の前記乾燥処理の進行をモデル化する数理モデルを使用して、温度安全マージン（Ｔｓｍ）を計算すること、
＊前記製品の前記温度（Ｔｐｒｏｄ）と前記製品に関する事前定義された臨界温度（Ｔｃｒｉｔ）との間の温度安全マージン（Ｔｓｍ）を計算すること、
＊パワーを供給するための前記手段、前記少なくとも１つの加熱器を移動させるための前記手段（７１５）、および前記容器（７０３）を移動させるための前記手段（７０４）のうちの少なくとも１つを制御することにより、前記容器（７０２）の少なくとも一部分に供給されるパワーの量を制御すること、
を実行するよう適応された制御器（７１３）と
を含む、装置。
【請求項１５】
請求項１４に記載のフリーズドライ装置（７００）、および前記フリーズドライ装置における使用に対して適切な容器（２２００）を含む部品のキットであって、
前記容器（２２００）は、長手方向軸を有し、フリーズドライされる製品を保持するためのキャビティを画成する容器壁部を含み、
前記容器壁部は、底部分（２２０３）、および少なくとも下方側面部分（２２０１）を有し、
前記下方側面部分（２２０１）は、その高さの少なくとも１部分にわたり実質的に一定の厚さを有し、
前記長手方向軸を含む平面における前記下方側面部分（２２０１）の断面は、少なくとも１つの実質的に放物線形状または切頭状放物線形状を画成し、
前記長手方向軸に対して垂直な平面における前記下方側面部分（２２０１）の断面は実質的に円形の形状を有する、
部品のキット。